(57)【要約】【課題】内容液を吐出させない容器の非使用時や容器を手に持って動かす使用時において、空気の流れによって、周囲に香りの変化や強弱を生じさせることのできるボトル容器を提供する。【解決手段】ボトル容器１０は、内容液を収容可能な容器本体１２の口首部１２ａに内容液を吐出する吐出装置１４が取り付けられたボトル容器部１１と、ボトル容器部１１の容器本体１２の胴部１３との間に間隔を保持した状態で、容器本体１２の胴部１３を覆って容器本体１２に取り付けられる、通気部１７ａ，１７ｃが胴部１６に形成された外殻体１５と、容器本体１２の胴部１３と外殻体１５の胴部１６との間隔部分ｓに収容された香料含有物１８とを含んで構成される。香料含有物１８は、好ましくは香料成分を含侵したシート状物となっている。【選択図】図１
2020132243.tif 000002
【特許請求の範囲】
【請求項１】
内容液を収容可能な容器本体の口首部に内容液を吐出する吐出装置が取り付けられたボトル容器部と、該ボトル容器部の容器本体の胴部との間に間隔を保持した状態で、前記容器本体の胴部を覆って前記容器本体に取り付けられる、通気部が胴部に形成された外殻体と、前記容器本体の胴部と前記外殻体の胴部との間隔部分に収容された香料含有物とを含んで構成されるボトル容器。
【請求項２】
前記香料含有物は、香料成分を含侵したシート状物である請求項１記載のボトル容器。
【請求項３】
前記香料含有物は、香料成分を含侵した粒状物である請求項１記載のボトル容器。
【請求項４】
前記香料含有物は、香料成分を含む液体である請求項１記載のボトル容器。
【請求項５】
前記外殻体の胴部を高さ方向に４等分割し、上端部部分の１／４の領域を上部、下端部部分の１／４の領域を下部、これらの間の部分の２／４の領域を中間部として、それぞれの領域における表面積に対する前記通気部の総開口面積の割合である、上部開口率（％）、下部開口率（％）、及び中間部開口率（％）を算出した際に、上部開口率（％）及び下部開口率（％）は、中間部開口率（％）の２倍を越える開口率となっている請求項１〜４のいずれか１項記載のボトル容器。
【請求項６】
前記外殻体の胴部の中間部の通気穴の開口率が、２０％以下となっている請求項５記載のボトル容器。
【請求項７】
前記香料含有物に含まれる香料成分が、前記内容液に含まれる香料成分と異なる種類の香料成分である請求項１〜６のいずれか1項記載のボトル容器。
【請求項８】
前記吐出装置が、噴霧スプレーである請求項７記載のボトル容器。
【発明の詳細な説明】
【技術分野】
【０００１】
本発明は、容器本体の口首部に内容液を吐出する吐出装置が取り付けられたボトル容器に関する。
【背景技術】
【０００２】
洗浄剤や、消臭剤等の内容液を吐出させる吐出装置として、トリガースプレイヤー等のトリガー式吐出装置や、ポンプディスンサー等のポンプ式吐出装置が挙げられる。これらの吐出装置が取り付けられた容器本体に収容される内容液は、芳香性を有するもの方が消費者に好まれることから、容器本体に収容される内容液は、香料成分を含むものであるのが一般的である。
【０００３】
このような香料成分を含む内容液を容器本体に収容した一般的なボトル形状の吐出容器では、内容液を吐出させることにより、内容液に含まれる香料成分を揮散させて、好ましい香りを周囲に漂わせることが可能になるが、内容液を吐出させない容器の非使用時においては、内容液の吐出が遮断された状態となるため、好ましい香りを周囲に漂わせることは困難である。また、このようなボトル形状の吐出容器は、例えば室内において、容器本体を露出させたまま部屋の隅などに保管されることが多いことから、容器の非使用時においても、好ましい香りを周囲に漂わせることができるようにする機能を備えていることが望ましい。
【０００４】
一方、香料を含む基材層の一方の面側が香料弱透過層とされ、他方の面側が香料バリア層とされた包装フィルムの香料バリア層上に粘着剤層を設けて、対象物に貼付可能とした香り付きラベルが開発されている（例えば、特許文献１参照）。
【先行技術文献】
【特許文献】
【０００５】
【特許文献１】特開２０１４−１６２５４６号公報
【発明の概要】
【発明が解決しようとする課題】
【０００６】
しかしながら、特許文献１の香り付きラベルは、例えば商品の包装に貼付されて、相当の期間、包装の外面から香気を感じられるようにすることができるが、例えば空調等による周囲の空気の流れや、商品を手に持って動かした際の周囲の空気の流れによって、香りの変化や強弱を生じさせることは困難である。
【０００７】
本発明は、内容液を吐出させない容器の非使用時や容器を手に持って動かす使用時において、空気の流れによって、周囲に香りの変化や強弱を生じさせることのできるボトル容器を提供することを目的とする。
【課題を解決するための手段】
【０００８】
本発明は、内容液を収容可能な容器本体の口首部に内容液を吐出する吐出装置が取り付けられたボトル容器部と、該ボトル容器部の容器本体の胴部との間に間隔を保持した状態で、前記容器本体の胴部を覆って前記容器本体に取り付けられる、通気部が胴部に形成された外殻体と、前記容器本体の胴部と前記外殻体の胴部との間隔部分に収容された香料含有物とを含んで構成されるボトル容器を提供することにより、上記目的を達成したものである。
【発明の効果】
【０００９】
本発明のボトル容器によれば、内容液を吐出させない容器の非使用時や容器を手に持って動かす使用時において、空気の流れによって、周囲に香りの変化や強弱を生じさせることができる。
【図面の簡単な説明】
【００１０】
【図１】図１は、本発明の好ましい一実施形態に係るボトル容器の構成を説明する、右側略半分の部分を断面で示す側面図である。
【図２】図２（ａ）、（ｂ）は、本発明の好ましい他の実施形態に係るボトル容器の構成を説明する、右側略半分の部分を断面で示す側面図である。
【発明を実施するための形態】
【００１１】
以下、図面を参照しつつ、本発明を具体的に説明する。図１に示す本発明の好ましい一実施形態に係るボトル容器１０は、ボトル容器部１１の容器本体１２に、例えば室内用や衣料用の消臭芳香剤等の内容液を収容している。ボトル容器１０は、ボトル容器部１１の容器本体１２の口首部１２ａに着脱可能に取り付けられた、例えば噴霧スプレーであるトリガー式の吐出装置１４の操作によって内容液を吐出させる。内容液に香料成分が含まれる場合には、吐出した内容液に含まれる香料成分によって、好ましい香りを周囲に漂わせることができるようになっている。また、本実施形態のボトル容器１０は、内容液を吐出させない、例えば部屋の隅に置いて保管されている非使用時の状態においても、好ましい香りを周囲に漂わせることができるようにする機能を備えている。
【００１２】
そして、本実施形態のボトル容器１０は、図１に示すように、ボトル容器部１１と外殻体１５と香料含有物１８とを含んで構成される。ボトル容器部１１は、内容液を収容可能な容器本体１２の口首部１２ａに、内容液を吐出する吐出装置１４が取り付けられており、本実施形態のボトル容器１０は、吐出装置としてトリガー式の吐出装置１４が取り付けられている。外殻体１５は、ボトル容器部１１の容器本体１２の胴部１３との間に間隔を保持した状態で、容器本体１２の胴部１３を覆って容器本体１２に一体として取り付けられ、外殻体１５の胴部１６には通気部が形成されている。本実施形態では、好ましくは複数の通気部１７ａ，１７ｃが胴部１６に形成されている。香料含有物１８は、容器本体１２の胴部１３と外殻体１５の胴部１６との間隔部分ｓに収容されている。香料含有物１８は、本実施形態では、好ましくは香料成分を含侵したシート状物となっている。また、容器本体１２に収容される内容液は、好ましくは香料成分を含んでいる。
【００１３】
また、本実施形態では、好ましくは、外殻体１５の胴部１６を高さ方向に４等分割し、上端部部分の１／４の領域を上部１６ａ、下端部部分の１／４の領域を下部１６ｃ、これらの間の部分の２／４の領域を中間部１６ｂとして、それぞれの領域における表面積に対する通気部の総開口面積の割合である、上部開口率（％）、下部開口率（％）、及び中間部開口率（％）を算出した際に、上部開口率（％）や下部開口率（％）は、中間部開口率（％）の２倍を越える開口率となっている。また好ましくは、中間部開口率（％）が２０％以下となっている。本実施形態では、外殻体１５の胴部１６の上部１６ａには、好ましくは複数の通気部１７ａが形成されており、下部１６ｃには、好ましくは複数の通気部１７ｃが形成されており、中間部１６ｂには、通気部は形成されていない。
【００１４】
これらによって、本実施形態では、外部から下部１６ｃの通気穴１７ｃを介して間隔部分ｓに流入した空気が、中間部１６ｂの間隔部分ｓを経て、上部１６ａの通気部１７ａを介して外部に流出する空気の流れや、外部から上部１６ａの通気部１７ａを介して間隔部分ｓに流入した空気が、中間部１６ｂの間隔部分ｓを経て、下部１６ｃの通気部１７ｃを介して外部に流出する空気の流れを、例えばボトル容器１０を手で把持して動かした際に生じさせることができるようになっている。また中間部開口率（％）が、上部開口率（％）や下部開口率（％）よりも小さくなっていることで、容器本体１２の胴部１３と外殻体１５の胴部１６との間隔部分ｓに収容されたシート状物による香料含有物１８に、より多くの空気を通過させることが可能になると共に、香料含有物１８に含侵された香料成分が揮散するのを抑制して、より長期に亘って、香りを漂わせることが可能になる。
【００１５】
また、上記の記載において、ボトル容器部１１や外殻体１５の上方や上端は、ボトル容器部１１の容器本体１２の底部１２ｂよりも口首部１２ａ側の領域又は端部であり、下方や下端は、上方や上端とは逆の、口首部１２ａよりも底部１２ｂ側の領域又は端部である。これらの上／下は、ボトル容器１０やボトル容器部１１を使用する際の姿勢とは無関係である。通気部１７ａ，１７ｃには、通気穴や通気孔の他、通気穴や通気孔に通気性のシートも貼ったもの等が含まれるが、通気穴であることが好ましい。
【００１６】
本実施形態では、ボトル容器部１１の容器本体１２は、例えばポリエチレン、ポリプロピレン等のポリオレフィンやポリエチレンテレフタレート等のポリエステル等を用いたブロー成形品となっている。容器本体１２は、底部１２ｂと、底部１２から上方に立設する筒状の胴部１３と、胴部１３の上端部に連続する肩部１２ｃと、肩部１２ｃから上方に立設する口首部１２ａとを含んで形成されている。底部１２ｂは円形状の部分となっており、胴部１３は底部１２ｂから上方に立設する円筒形状の部分となっており、肩部１２ｃは円環形状の縮径段部となっており、口首部１２ａは円筒形状の部分となっている。口首部１２ａの外周面には、吐出装置１４のキャップ部１４ａを螺着させる雄ネジ凸条１２ｄが設けられている。なお、ボトル容器部１１の容器本体１２の形状は特に限定されるものではなく、例えば円形状や円筒形状以外に、例えば四角形の底部や角筒状の胴部等を備えるものであっても良い。
【００１７】
ボトル容器部１１の吐出装置１４は、好ましくは噴霧スプレーであるトリガー式の吐出装置となっており、トリガー式の吐出装置１４は、例えば内容液を噴霧状態で吐出することが可能な、公知の各種のトリガースプレイヤー等を用いることができる。吐出装置１４は、キャップ部１４ａを容器本体１２の口首部１２ａに螺着することによって、容器本体１２に一体として取り付けられる。
【００１８】
ボトル容器部１１と共にボトル容器１０を形成する外殻体１５は、好ましくは透明又は半透明の樹脂として、例えばポリエチレン、ポリプロピレン等のポリオレフィンやポリエチレンテレフタレート等のポリエステル等を用いた成形品となっている。外殻体１５は、容器本体１２の底部１２ｂよりも一回り大きな円形状の底部１５ｂと、底部１５ｂから上方に立設する、容器本体１２の胴部１３よりも一回り大きな円筒形状の胴部１６と、容器本体１２の肩部１２ｃよりも一回り大きな円環形状の肩部１５ｃを備える肩カバー１５ｄとを含んで形成されている。なお、外殻体１５には底部１５ｂが設けられている必要は必ずしも無く、外殻体１５は、容器本体１２の胴部１３と外殻体１５の胴部１６との間隔部分ｓに香料含有物１８を保持しておくことが可能な構成を備えていれば、底部を備えていなくても良い。この場合、外殻体１５の胴部１６の下部１６ｃには、通気部が設けられていなくても良い。
【００１９】
外殻体１５は、例えば胴部１６の内側面に沿って香料含有物１８を配置した状態で、肩カバー１５ｄの下端嵌合部１５ｅに胴部１６の上端嵌合部１６ｅを嵌め込んで係止することにより、ボトル容器部１１の容器本体１２の胴部１３と、底部１２ｂ及び肩部１２ｃとを覆って、容器本体１２に一体として取り付けられる。またこれによって、容器本体１２の胴部１３と、外殻体１５の胴部１６との間には、例えば２〜８ｍｍ程度の幅の間隔部分ｓが保持されると共に、容器本体１２の底部１２ｂと外殻体１５の底部１５ｂとの間にも、例えば２〜８ｍｍ程度の幅の間隔部分ｓ’が保持される。容器本体１２の胴部１３と外殻体１５の胴部１６との間の間隔部分ｓには、香料含有物１８として、好ましくは香料成分を含侵したシート状物１８が収容されている。
【００２０】
香料成分を含侵したシート状物１８は、本実施形態では、例えば不織布からなり、含侵される香料成分として、例えば天然系あるいは合成系の既知の香料を用いることができる。含侵される香料成分は、常温揮発性を備えていることが好ましい。より具体的には、含侵される香料成分として、レモン油、グレープフルーツ油、ローズマリー油、ペパーミント油、マンダリン油、ライム油、ユズ油、カモミール油、ラベンダー油、ローズ油、スペアミント油等の天然香料や、アルコール、ケトン、アルデヒド、リモネン、リナロール、シトロネロール、メントール、ゲラニオール等の合成香料などを用いることができる。これらは単独で用いても、複数を組み合わせて調合香料として用いてもよい。香料成分は、所望の香りが得られるように添加される量や割合を適宜調整することができる。なお、シート状物１８は、香料成分を保持できれば、不織布に限らず、紙、織布、フィルムと不織布とのラミネートシート等の材料を制限なく用いることができる。
【００２１】
また、香料含有物１８である香料を含侵したシート状物は、容器本体１２の胴部１３と外殻体１５の胴部１６との間の間隔部分ｓにおいて、胴部１３，１６の周方向の全周に亘って配設されていることが好ましいが、周方向の一部に設けられていても良い。シート状物１８は、胴部１３，１６の高さ方向の領域の２５％以上の領域に配設されていることが好ましく、５０％以上の領域に配設されていることがより好ましい。シート状物１８は、容器本体１２の外殻体１５との間の間隔部分ｓにおいて、容器本体１２の胴部１３又は外殻体１５の胴部１６との間に隙間を保持した状態で配設されていることが好ましい。
【００２２】
本実施形態では、外殻体１５は、下端嵌合部１５ｅと上端嵌合部１６ｅとの係止状態を開放することで、胴部１６及び底部１５ｂを肩カバー１５ｄから着脱可能に取り外すことが可能なことから、香料成分を含侵したシート状物１８を、容器本体１２の胴部１３と外殻体１５の胴部１６との間の間隔部分ｓに、交換可能に収容することができる。
【００２３】
また、本実施形態では、好ましくは外殻体１５の胴部１６を高さ方向に４等分割し、上端部部分の１／４の領域を上部１６ａ、下端部部分の１／４の領域を下部１６ｃ、これらの間の部分の２／４の領域を中間部１６ｂとして、それぞれの領域における表面積に対する通気部の総開口面積の割合である、上部開口率（％）、下部開口率（％）、及び中間部開口率（％）を算出した際に、上部開口率（％）や下部開口率（％）は、中間部開口率（％）の２倍を越える開口率となっている。これによって、吐出装置１４から内容液を吐出させない容器１０の非使用時において、例えばボトル容器１０を持ち上げたり置いたりした際に、下部１６ｃの通気部１７ｃを介して外部から間隔部分ｓに流入した空気が、中間部１６ｂの間隔部分ｓを経て、上部１６ａの通気部１７ａを介して外部に流出する空気の流れや、上部１６ａの通気部１７ａを介して外部から間隔部分ｓに流入した空気が、中間部１６ｂの間隔部分ｓを経て、下部１６ｃの通気部１７ｃを介して外部に流出する空気の流れを生じさせて、シート状物１８に含侵された香料成分による好ましい香りを、効果的に周囲に漂わせることが可能になる。
【００２４】
このような観点から、中間部開口率（％）は、２０％以下となっていることがより好ましい。外殻体１５の胴部１６の全表面積に対する、全ての通気穴のトータルの開口面積の割合は、４０％以下となっていることがさらに好ましい。
【００２５】
そして、上述の構成を備える本実施形態のボトル容器１０によれば、内容液を吐出させない容器の非使用時においても、長期に亘って、好ましい香りを周囲に漂わせることが可能になる。また、内容液を吐出させない容器の非使用時や容器を手に持って動かす使用時において、空気の流れによって、周囲に香りの変化や強弱を生じさせることが可能になる。
【００２６】
すなわち、本実施形態のボトル容器１０によれば、吐出装置１４が取り付けられたボトル容器部１１の容器本体１２の胴部１３との間に間隔を保持した状態で、複数の通気部１７ａ，１７ｃが形成された外殻体１５の胴部１６が取り付けられており、容器本体１２の胴部１３と外殻体１５の胴部１６との間隔部分ｓに、香料含有物１８が収容されているので、吐出装置１４から内容液を吐出させない容器１０の非使用時においても、間隔部分ｓに収容された香料含有物１８から通気部１７ａ，１７ｃを介して外部に香料成分を揮散させて、好ましい香りを周囲に漂わせることが可能になると共に、必要に応じて香料含有物１８を適宜交換したり補充したりすることによって、長期に亘って持続して、好ましい香りを周囲に漂わせることが可能になる。
【００２７】
また、吐出装置１４から内容液を吐出させない容器１０の非使用時や、容器を手に持って動かす使用時において、非使用時では例えば空調等による周囲の空気の流れや、使用時には容器１０を手に持って動かした際の周囲の空気の流れによって、下部１６ｃや上部１６ａの通気部１７ｃ，１７ａを介して外部から間隔部分ｓに流入した空気が、中間部１６ｂの間隔部分ｓを経て、上部１６ａや下部１６ｃの通気部１７ａ，１７ｃを介して外部に流出する空気の流れを生じさせて、シート状物１８に含侵された香料成分による好ましい香りを、効果的に周囲に漂わせることが可能になると共に、例えば容器１０を動かす速度を変えることなどによって、香りの変化や強弱を容易に生じさせることが可能になる。
【００２８】
さらに、例えば使用者が内容液を噴霧する際に、ボトル容器１０を上下左右に移動させる操作によって、通気部１７ａ，１７ｃや中間部１６ｂの間隔部分ｓを介して空気が移動し、容器本体１２の胴部１３と外殻体１５の胴部１６との間の間隔部分ｓに収容された香料含有物１８に含侵された香料の香りを、ふわっと感じさせることにより、使用差に心地良さを感じ取られることが可能になる。
【００２９】
さらにまた、本実施形態のボトル容器１０によれば、容器本体１２に収容された内容液が香料成分を含んでいる場合には、香料含有物１８に含まれる香料成分を、容器本体１２に収容された内容液に含まれる香料成分とは、異なる種類の香料成分とすることができ、これによって異なる香りを楽しむことが可能になると共に、内容液に含まれる香料成分と香料含有物１８に含まれる香料成分とのマッチングを楽しむことが可能になる。
【００３０】
また、本実施形態のボトル容器１０によれば、容器本体１２の胴部１３と外殻体１５の胴部１６との間隔部分ｓに、香料含有物１８に加えて、例えば造花等の装飾物や香料を含侵させた造花等の装飾物を収容することによって、容器の装飾性を高めることが可能になる。
【００３１】
なお、本発明は上記の実施形態に限定されることなく種々の変更が可能である。例えば、容器本体の胴部と外殻体の胴部との間隔部分に収容される香料含有物は、香料成分を含侵したシート状物である必要は必ずしも無く、図２（ａ）に示すように、香料成分を含侵した粒状物１９であったり、図２（ｂ）に示すように、香料成分を含む液体香料２０であっても良い。香料含有物が香料成分を含侵した粒状物１９である場合には、例えば通気部の大きさを粒状部の大きさよりも小さくする等の配慮が必要である。香料含有物が香料成分を含む液体香料２０である場合には、例えば液体香料２０の粘度を高くしたり、通気部に通気性フィルムを貼るなどして、例えばボトル容器を倒した際に、液体香料２０が漏れ出ないようにする配慮が必要である。また香料含有物が香料成分を含む液体香料２０である場合には、外殻体の胴部の高さを、貯留される液体香料の液位２０ａよりも上方部分の領域の高さとして、胴部を上部、中間部、及び下部に三分割することができる。ボトル容器の容器本体の口首部に取り付けられる吐出装置は、トリガー式の吐出装置である必要は必ずしも無く、ポンプディスンサー等のポンプ式の吐出装置であっても良い。本発明のボトル容器は、容器本体に内容液が収容されているものであることが好ましいが、内容液が収容される前の、内容液を容器本体に収容可能な状態のものであっても良い。
【符号の説明】
【００３２】
１０  ボトル容器
１１  ボトル容器部
１２  容器本体
１２ａ  口首部
１２ｂ  底部
１２ｃ  肩部
１２ｄ  雄ネジ凸条
１３  胴部
１４  吐出装置
１５  外殻体
１５ｂ  底部
１５ｃ  肩部
１６  胴部
１６ａ  上部
１６ｂ  中間部
１６ｃ  下部
１７ａ，１７ｃ  通気部
１８  香料含有物（香料成分を含侵したシート状物）
１９  香料含有物（香料成分を含侵した粒状物）
２０  香料含有物（香料成分を含む液体香料）
２０ａ  液位
ｓ    間隔部分
【図１】
2020132243.tif 000003
【図２】
2020132243.tif 000004